(57)【特許請求の範囲】
【請求項１】
ワイヤレスネットワークにおいてデバイスツーデバイス（Ｄ２Ｄ）同期信号又はブロードキャストチャネルを送信するための、第１のユーザ機器（ＵＥ）（５１）における方法であって、
前記第１のＵＥにおいて、ネットワークカバレッジ内にいる第２のＵＥによってのみ受信されることへの前記第１のＵＥの関心レベルを判定することであって、前記第１のＵＥの関心レベルを判定することは、
前記第２のＵＥがｅＮｏｄｅＢのカバレッジエリアの内側にいるかを判定すること、
前記第２のＵＥが前記ｅＮｏｄｅＢの前記カバレッジエリアの内側にいる場合に、前記第２のＵＥが前記ｅＮｏｄｅＢから発せられた同期リファレンスを中継可能であるかを判定すること、及び
前記第２のＵＥが前記ｅＮｏｄｅＢから発せられた前記同期リファレンスを中継可能であるときに、前記第１のＵＥが前記ｅＮｏｄｅＢとの同期を望む際に前記第１のＵＥが関心を有すると判定すること、を含む、前記第１のＵＥの関心レベルを判定することと、
前記第１のＵＥにおいて、前記第１のＵＥが関心を有するとの判定に従って、同期信号又はブロードキャストチャネルの送信についての時間パターンを適応させることであって、前記時間パターンを適応させることは、
前記第２のＵＥから同期リファレンス信号を受信すること、及び
前記同期リファレンス信号が前記ｅＮｏｄｅＢから発せられたかに応じて、同期信号又はブロードキャストチャネルを周期的に送信するか否かを決定すること、を含む、前記時間パターンを適応させることと、
を含む方法。
【請求項２】
前記第２のＵＥが異なる同期リファレンスを使用し且つｅＮｏｄｅＢのカバレッジエリアの内側にいる場合に、前記時間パターンを適応させることは、
前記同期リファレンス信号が前記ｅＮｏｄｅＢから発せられたかを判定すること（３５）と、
前記同期リファレンス信号が前記ｅＮｏｄｅＢから発せられたときに、
ディスカバリリソースプールに一致する時点においてのみ、同期信号又はブロードキャストチャネルを送信すること（３３）、又は、
いかなる同期信号若しくはブロードキャストチャネルの送信（３３）も控えること、
のうちの１つを実行することと、
前記同期リファレンス信号が前記ｅＮｏｄｅＢから発せられたのではないときに、同期信号又はブロードキャストチャネルを周期的に送信すること（３６）と、
を含む、請求項１に記載の方法。
【請求項３】
ワイヤレスネットワークにおいてデバイスツーデバイス（Ｄ２Ｄ）同期信号又はブロードキャストチャネルを送信するための、第１のユーザ機器（ＵＥ）（５１）内の装置であって、
送受信機（５６）と、
コンピュータプログラム命令を記憶する非一時的なメモリ（５３）へ連結されるプロセッサ（５２）と、
を備え、前記プロセッサが前記命令を実行した場合、前記プロセッサは、
ネットワークカバレッジ内にいる第２のＵＥによってのみ受信されることへの前記第１のＵＥの関心レベルを判定する、ように構成される関心判定回路（５４）であって、前記第１のＵＥの関心レベルを判定することは、
前記第２のＵＥがｅＮｏｄｅＢのカバレッジエリアの内側にいるかを判定すること、
前記第２のＵＥが前記ｅＮｏｄｅＢの前記カバレッジエリアの内側にいる場合に、前記第２のＵＥが前記ｅＮｏｄｅＢから発せられた同期リファレンスを中継可能であるかを判定すること、及び
前記第２のＵＥが前記ｅＮｏｄｅＢから発せられた前記同期リファレンスを中継可能であるときに、前記第１のＵＥが前記ｅＮｏｄｅＢとの同期を望む際に前記第１のＵＥが関心を有すると判定すること、を含む、前記関心判定回路と、
前記第１のＵＥが関心を有するとの判定に従って、同期信号又はブロードキャストチャネルの送信についての時間パターンを適応させる、ように構成される送信時間パターン適応回路（５５）であって、前記時間パターンを適応させることは、
前記第２のＵＥから同期リファレンス信号を受信すること、及び
前記同期リファレンス信号が前記ｅＮｏｄｅＢから発せられたかに応じて、同期信号又はブロードキャストチャネルを周期的に送信するか否かを決定すること、を含む、前記送信時間パターン適応回路と、
を制御する、装置。
【請求項４】
前記第２のＵＥが異なる同期リファレンスを使用し及びｅＮｏｄｅＢ（６１）のカバレッジエリアの内側にいる場合に、前記送信時間パターン適応回路（５５）は、
前記同期リファレンス信号が前記ｅＮｏｄｅＢ（６１）から発せられたかを判定し、
前記同期リファレンス信号が前記ｅＮｏｄｅＢから発せられたときに、
ディスカバリリソースプールに一致する時点においてのみ、同期信号又はブロードキャストチャネルを送信すること、又は、
いかなる同期信号若しくはブロードキャストチャネルの送信も控えること、
のうちの１つを実行し、
前記同期リファレンス信号が前記ｅＮｏｄｅＢから発せられたのではないときに、同期信号又はブロードキャストチャネルを周期的に送信する、
ことにより、前記時間パターンを適応させる、ように構成される、請求項３に記載の装置。
【請求項５】
ワイヤレス通信ネットワークにおいてデバイスツーデバイス（Ｄ２Ｄ）同期信号又はブロードキャストチャネルを送信するために、第１のユーザ機器の送信時間パターンを適応させるためのシステムであって、前記第１のユーザ機器（ＵＥ）（５１）は、前記ワイヤレス通信ネットワーク内のｅＮｏｄｅＢ（６１）のカバレッジエリアの外側で動作し、前記システムは、
前記第１のＵＥ（５１）内の、請求項３又は４に記載の装置と、
前記ｅＮｏｄｅＢ（６１）への中継を提供する前記第２のＵＥと、
を含む、システム。
【発明の詳細な説明】
【技術分野】
【０００１】
本開示は、デバイスツーデバイス（Ｄ２Ｄ）同期信号又はブロードキャストチャネルを送信するための、より具体的にはマルチホップサポートのためにＤ２Ｄ同期信号を送信するための、方法及び装置に関する。
【背景技術】
【０００２】
［Ｄ２Ｄディスカバリ］
Ｄ２Ｄディスカバリは、ユーザ機器（ＵＥ）により周期的にブロードキャストされるディスカバリメッセージの検出に基づいてＵＥが互いの存在をセンシングするというアプリケーションからなる。各ＵＥは、典型的には、構成されるリソース（ディスカバリリソースプール）内で１つ以上のディスカバリメッセージを送信する。ディスカバリリソースプールは、セル間で相違していてもよく、ディスカバリリソースプールは、セル間の同期の差にも起因して時間的にずれているかもしれない。ディスカバリリソースプールのこの特徴は、あるセル内のＵＥが、他のセルにより提供されるプールへそこに関連付けられるディスカバリメッセージを検出する目的で同期する必要があることを示唆する。この同期を提供する１つの手法は、プールをその目的に特に適した同期信号に関連付けることである。
【０００３】
ディスカバリへの典型的なリソース割り当ては、数秒の長さであり得るディスカバリピリオドを含む。ディスカバリピリオド内で、各ディスカバリプールは典型的にはリソースの小さな割合にわたる。ディスカバリリソースは、エネルギー効率の理由のために、時間的にはほとんど連続的であるべきである。リソースプールは、ディスカバリピリオド内で、わずか数十又は数百ミリ秒のみにわたるかもしれない。
【０００４】
［Ｄ２Ｄ同期信号（Ｄ２ＤＳＳ）］
地上無線ネットワークにおける旧来の通信は、ユーザ機器（ＵＥ）と基地局との間のリンクを介する。しかしながら、２つのＵＥが互いの近傍にいる場合、直接的なデバイスツーデバイス（Ｄ２Ｄ）通信が検討され得る。そうしたＤ２Ｄ通信は、（１）基地局から、（２）ローカルで同期情報を提供するクラスタヘッド（ＣＨ）（即ち、同期ソースとして動作するＵＥ）などの異なるノードから、又は、（３）異なる同期ソースからの同期情報を中継することを可能化されるＵＥから、の同期情報に依存し得る。ｅＮＢ／ＣＨは、セル／クラスタ内通信のための同期ソースとして使用される。中継される同期信号は、セル／クラスタ間通信のために使用される。
【０００５】
図１は、様々なノードが同期ソースとして動作するセルラーネットワークの説明図である。セル１の内部で、ｅＮＢ１１は、ＵＥ１２〜１４へ同期情報を提供する。クラスタ１の内部で、ＵＥ１５は、クラスタヘッド（ＣＨ）として動作して、ＵＥ１６及びＵＥ１７へ同期情報を提供する。なお、セル１内のＵＥ１４及びクラスタ１内のＵＥ１６は、セル１とクラスタ１との間で同期情報を送信する中継機としても動作し得る。セル２の内部で、ｅＮＢ１８は、ＵＥ１９へ同期情報を提供する。ＵＥ１２、１３及び１９は、中継機として動作して、セル１とセル２との間で同期情報を交換し得る。
【０００６】
カバレッジ内Ｄ２Ｄ（in-coverage  D2D）のシナリオについては、同期リファレンスはｅＮＢにより提供される。ｅＮＢは、Ｄ２Ｄのために使用されるリソースを指し示すように、Ｄ２Ｄリソースプールをシグナリングする。カバレッジ外Ｄ２Ｄ（out-of-coverage  D2D）のシナリオについては、ＣＨが同期リファレンスを提供する。
【０００７】
Ｄ２Ｄ同期信号（Ｄ２ＤＳＳ）の信号設計は、３ＧＰＰにおいて議論中である。１つの提案された解決策は、Ｄ２ＤＳＳを次の２つのセットに区別することからなる：一方のセットは、Ｄ２Ｄディスカバリをサポートすることを意図され、他方のセットは、Ｄ２Ｄ通信をサポートすることを意図される。
【０００８】
同期信号は、典型的には周期的である。その理由は、発振器がその名目上の値から偏りがちであり、相対的な同期を維持するために受信同期に基づく周期的な補正を必要とするからである。典型的な同期の周期性は、数ミリ秒から数十又は数百ミリ秒までであり得る。
【０００９】
ＬＴＥ（Long  Term  Evolution）リリース１２の標準化の期間中に、Ｄ２Ｄのために分散的な同期プロトコルが定義された。そのプロトコルにおいて、デバイスは、自身の送信同期リファレンスを、（カバレッジ内ならば）ｅＮＢから、（カバレッジ外ならば）他のデバイスから、又は孤立していれば自律的に、のいずれかで導出する。カバレッジ内デバイスにより送信される同期信号／チャネルは、元の同期リファレンスがｅＮＢ発であるという情報を含む。カバレッジ内デバイスからのＳＬＳＳを検出するカバレッジ外デバイスは、本開示には関係しないいくつかの無線条件の下で、そうしたリファレンスへの同期を優先する。結果として、ｅＮＢカバレッジのちょうど外側にいるデバイスは、それらが他のカバレッジ内デバイスへ同期しているとしても、もともとｅＮＢ発の送信同期リファレンスを用いている可能性が高い。
【発明の概要】
【発明が解決しようとする課題】
【００１０】
周期的かつ頻繁な（例えば、４０ｍｓ）同期信号の送信は、デバイスが互いに同期することを可能にし、デバイス間の直接的な通信及び／又はディスカバリを可能にする。（いわゆるマシンタイプ通信（ＭＴＣ）デバイスを含む）カバレッジ外（ＯｏＣ）ワイヤレスデバイスが（例えば、ｅＮＢへの中継される接続を確立するために）カバレッジ内（ＩｎＣ）ワイヤレスデバイスと通信しようとする場合、ＯｏＣデバイスは、周期的な同期信号を送信して、それらのデータ又はディスカバリチャネルをＩｎＣデバイスが受信できるようにする。しかしながら、Ｄ２Ｄ信号送信は、デバイスのバッテリを著しく浪費し、特にＭＴＣデバイスの自律性へ著しく影響を与えかねない。
【課題を解決するための手段】
【００１１】
所要の送信の回数を低減する、デバイスツーデバイス（Ｄ２Ｄ）同期信号を送信するための方法及び装置が必要とされている。本開示は、そうした方法及び装置を提供する。本開示の例示的な実施形態は、次のことを含む：
（１）第１のデバイスにおいて、第２のデバイスによる受信への関心を判定し、及び
（２）上記関心に依存して、第１のデバイスが、同期信号及びブロードキャストチャネルの送信についての時間パターンを適応。１つの特殊なケースにおいて、上記信号及びチャネルは、全く送信されない。
【００１２】
本開示は、同一の又は異なる同期リファレンスを使用する第２のデバイスによって受信されることへの第１のデバイスの関心を判定する様々な手法を提供し、それは、第１のデバイスが実行に関心を有するサービスのタイプの分析、第１の及び第２のデバイスのカバレッジ状態の分析、並びに、第２のデバイスにより使用される元の同期リファレンスを提供するノードの分析を含む。
【００１３】
１つの実施形態は、ワイヤレスネットワークにおいてデバイスツーデバイス（Ｄ２Ｄ）同期信号又はブロードキャストチャネルを送信するための、第１のユーザ機器（ＵＥ）における方法を提供する。上記方法は、上記第１のＵＥにおいて、同一の又は異なる同期リファレンスを使用する第２のＵＥによって受信されることへの上記第１のＵＥの関心レベルを判定することと、上記第１のＵＥにおいて、上記第１のＵＥの判定された上記関心レベルに依存して、同期信号又はブロードキャストチャネルの送信についての時間パターンを適応させることと、を含む。具体的な実施形態において、方法は、ネットワークカバレッジ内にいる第２のＵＥによってのみ受信されることへの上記第１のＵＥの関心レベルを判定すること、を含む。
【００１４】
他の実施形態は、ワイヤレスネットワークにおいてデバイスツーデバイス（Ｄ２Ｄ）同期信号又はブロードキャストチャネルを送信するための、第１のＵＥ内の装置を提供する。上記装置は、送受信機と、コンピュータプログラム命令を記憶する非一時的なメモリへ連結されるプロセッサと、を含む。上記プロセッサが上記命令を実行した場合、上記プロセッサは、同一の又は異なる同期リファレンスを使用する第２のＵＥによって受信されることへの上記第１のＵＥの関心レベルを判定する、ように構成される関心判定回路と、上記第１のＵＥの判定された上記関心レベルに依存して、同期信号又はブロードキャストチャネルの送信についての時間パターンを適応させる、ように構成される送信時間パターン適応回路と、を制御する。具体的な実施形態において、上記装置は、ネットワークカバレッジ内にいる第２のＵＥによってのみ受信されることへの上記第１のＵＥの関心レベルを判定する、ように構成される。
【００１５】
他の実施形態は、ワイヤレス通信ネットワークにおいてデバイスツーデバイス（Ｄ２Ｄ）同期信号又はブロードキャストチャネルを送信するために、第１のユーザ機器の送信時間パターンを適応させるためのシステムを提供し、上記第１のＵＥは、上記ワイヤレス通信ネットワーク内のｅＮｏｄｅＢのカバレッジエリアの外側で動作する。上記システムは、非一時的なメモリ内に記憶されるコンピュータプログラム命令を実行するプロセッサ、上記プロセッサにより制御され、同一の又は異なる同期リファレンスを使用する第２のＵＥによって受信されることへの上記第１のＵＥの関心レベルを判定する、ように構成される関心判定回路、及び、上記プロセッサにより制御され、上記第１のＵＥの判定された上記関心レベルに依存して、同期信号又はブロードキャストチャネルの送信についての時間パターンを適応させる、ように構成される送信時間パターン適応回路、を備える上記第１のＵＥ内の装置を含む。上記システムは、上記ｅＮｏｄｅＢへの中継を提供する第２のＵＥをも含む。具体的な実施形態において、上記装置は、ネットワークカバレッジ内にいる第２のＵＥによってのみ受信されることへの上記第１のＵＥの関心レベルを判定する、ように構成される。
【発明の効果】
【００１６】
実施形態は、同期信号の最適化を可能とし、エネルギー及びオーバヘッドの利点に帰着する。本発明の実施形態のさらなる特徴及び利点が以下の詳細な説明から明らかとなるであろう。
【図面の簡単な説明】
【００１７】
本開示の１つ以上の例示的な実施形態を示すために、添付図面が明細書に取り入れられ及びその一部をなす。本開示の多様な利点及び特徴が、次の添付図面の図を参照しながら、添付の特許請求の範囲と併せて以下の詳細な説明から理解されるであろう。
【００１８】
【図１】（従来技術）様々なノードが同期ソースとして動作するセルラーネットワークの説明図である。
【図２】本開示に係る全体的な方法の例示的な実施形態の処理フロー図である。
【図３】ＳＬＳＳ及び／又はＰＳＢＣＨを周期的に送信すべきかをＯｏＣ  ＵＥが判定するための方法の例示的な実施形態の処理フロー図である。
【図４】ＯｏＣ  ＵＥが公衆安全ディスカバリ又は商業的ディスカバリのいずれかに関心を有する場合に、同期信号又はブロードキャストチャネルの送信についての時間パターンを当該ＵＥが選択するための方法の例示的な実施形態の処理フロー図である。
【図５】本開示の例示的な実施形態におけるＵＥの概略図である。
【図６】本開示の例示的な実施形態における基地局の概略図である。
【発明を実施するための形態】
【００１９】
これ以降で、本発明の好適な実施形態が示されている添付図面を参照しながら、本発明がより充分に説明されるであろう。本発明は、しかしながら、多くの異なる形式で具現化されてよく、ここで説示される実施形態に限定されるものとして解釈されるべきではない。むしろ、それら実施形態は、本開示が綿密且つ完結したものとなるように提供されており、当業者へ本発明のスコープを充分に伝えるであろう。図面において、同様の参照符号は同様のエレメントを指す。追加的に、理解されるべきこととして、本発明は、ハードウェアで、又は、非一時的なメモリに記憶され汎用のコンピュータ若しくはマイクロプロセッサにより実行されるソフトウェアの組み合わせで実装されることができる。
【００２０】
以下に続く開示は、ＬＴＥの専門用語を使用しているが、本開示は他の標準にも等しく適用可能である。“ＵＥ”、“ワイヤレスデバイス”及び“ワイヤレス通信デバイス”との用語は、同じ意味で使用される。同様に、ｅＮｏｄｅＢ（ｅＮＢ）は、代替的に基地局又はワイヤレスアクセスポイントとして解釈されてもよい。第１のＵＥが“カバレッジ内（ＩｎＣ）”又は“ＮＷカバレッジの範囲内”にいる第２のＵＥを発見する場合、第２のＵＥは、第１のＵＥと同じｅＮＢ又はワイヤレス通信ネットワークの何らかの他のｅＮＢのカバレッジエリア内で動作している。
【００２１】
直接的なＳＬＳＳ（Sidelink  Synchronization  Reference  Signals）及び／又は関連付けられるＰＳＢＣＨ（Physical  Sidelink  Broadcast  Control  Channels）を送信するために、様々なオプションがここで提供されており、例として次を含む：
（１）ＳＬＳＳ／ＰＳＢＣＨ送信無し。これは、受信側のＵＥが、同期の獲得及び送信側ＵＥから他のチャネルを受信するために有益なシステム情報の獲得のために送信側ＵＥからのＳＬＳＳ／ＰＳＢＣＨを使用することができないことを示唆する。
（２）ＳＬＳＳ／ＰＳＢＣＨは、周期的に送信される（例えば、４０ｍｓ毎）。受信側ＵＥは、少なくともＳＬＳＳ送信ピリオドを周期的にスキャンすることにより近傍にいる新たなＵＥを効率的に検出することができる。
（３）ＳＬＳＳ／ＰＳＢＣＨは、いわゆるディスカバリリソースプールなどのＤ２Ｄ送信用リソースのセットのある反復の直前、その期間中及び／又はその後に、１回又は限られた回数だけ送信される。このケースでは、受信側ＵＥは、自身の同期精度を向上させるためにＳＬＳＳ／ＰＳＢＣＨを活用し得るが、受信側ＵＥでの絶え間ないスキャンを回避する目的で、そうしたＳＬＳＳ／ＰＳＢＣＨ送信が時間的にいつ生じることが予期されるのかに関する何らかの知識が必要とされる。
【００２２】
以下に説明する実施形態は通則的であるものの、Ｄ２Ｄ通信についての１つの例示的な実施形態は、いわゆるＵＥ−ネットワーク（ＵＥ−ＮＷ）中継であり、ＵＥ−ＮＷ中継では、ｅＮＢカバレッジの外にいるが依然としてカバレッジ内のＵＥに相対的に近いリモートデバイスが、カバレッジ内ＵＥを介してｅＮＢへ中継接続（relayed  connection）を確立する。そうした接続を確立し及び所与のリモートＵＥについて適切な“中継ＵＥ”を選択するために、複数の手続が提案されてきた。それら手続のうちのいくつかは、リモートＵＥと中継ＵＥとの間の（ディスカバリチャネル又は通信物理Ｄ２Ｄチャネルを用いた）制御情報の交換に依拠する。１つの実施形態において、リモートＵＥは、ＭＴＣデバイスであり、又は概して厳しいエネルギー制約を伴うＵＥである。
【００２３】
上で注記したように、ＬＴＥリリース１２の標準化の期間中に、Ｄ２Ｄのために、デバイスがそれらの送信同期リファレンスを（カバレッジ内ならば）ｅＮＢから、（カバレッジ外ならば）他のデバイスから、又は孤立していれば自律的に、のいずれかで導出するという、分散的な同期プロトコルが定義された。ＩｎＣデバイスにより送信される同期信号／チャネルは、元の同期リファレンスがｅＮＢ発であるという情報を含む。ＩｎＣデバイスからのＳＬＳＳを検出するＯｏＣデバイスは、本開示には関係しないいくつかの無線条件の下で、そうしたリファレンスへの同期を優先する。結果として、ｅＮＢカバレッジのちょうど外側にいるデバイスは、それらが他のＩｎＣデバイスへ同期しているとしても、もともとｅＮＢ発の送信同期リファレンスを用いている可能性が高い。
【００２４】
ＵＥがＯｏＣデバイスへ同期することを可能にする目的で、ＯｏＣデバイスは、周期的（例えば、４０ｍｓ毎）にＳＬＳＳ／ＰＳＢＣＨを送信して、ＵＥが新たな同期ソースを効率的に識別し及びそれらチャネルを追跡できるようにし得る。一方で、そうした継続的な周期的送信は、ＯｏＣデバイスにおける電力消費に影響する。
【００２５】
代替的な解決策は、例えばディスカバリリソースプールの反復の近くで、非周期的にＳＬＳＳ／ＰＳＢＣＨを送信することである。プールの反復は、時間的に（数秒のオーダで）広く離隔されており、受信機は到来するＤ２Ｄ信号を検出する目的で、多大な時間ピリオドにわたって無線環境をスキャンする必要があるはずであった。
【００２６】
あるシナリオの間、周期的なＳＬＳＳ／ＰＳＢＣＨ送信は不可避的であり、ここでの実施形態は、ＬＴＥリリース１２と比較して受信機の実装又は性能へ悪影響を与えることなく、ＳＬＳＳ／ＰＳＢＣＨの送信回数を（絶えず周期的な送信と比較して）低減するためのルールを含む。送信機では、その利点は、低減された電力消費である。
【００２７】
本開示は、ＵＥがｅＮＢのカバレッジ外にいるがカバレッジ内（ＩｎＣ）ＵＥへ同期しているケースに焦点を当てる。ＯｏＣ  ＵＥは、ＩｎＣ  ＵＥから受信されるＳＬＳＳ／ＰＳＢＣＨを読み取ることにより同期リファレンスがｅＮＢ由来である、と判定することができる。想定されることとして、リモートＯｏＣ  ＵＥは、例えばｅＮＢへの中継ルートを確立する目的のためにのみＩｎＣ  ＵＥによる受信への関心を有する。ＩｎＣ  ＵＥは、ＩｎＣディスカバリへ参加する目的で、ｅＮＢタイミングに合わせられたディスカバリリソースを追跡する。従って、リモートＯｏＣ  ＵＥにとって、ＩｎＣ  ＵＥにより検出される目的で周期的なＳＬＳＳ／ＰＳＢＣＨを送信することは必須ではない。
【００２８】
ここで開示される実施形態は、周期的なＳＬＳＳ／ＰＳＢＣＨをいつ送信すべきか、非周期的なＳＬＳＳ／ＰＳＢＣＨをいつ実行すべきか、又はＳＬＳＳ／ＰＳＢＣＨをいつ全く送信しないべきかを判定するためのルールを含む。そうしたルールは、標準において仕様化されてもよく、又は、ＵＥにおいて実装されてもよい。概して、ＵＥは、自身がＤ２Ｄ通信に参加することに関心を有する場合に限り、ＳＬＳＳ／ＰＳＢＣＨを（本開示において説明した周期性を伴って）送信することになる。
【００２９】
ＬＴＥの用語において、さらに注記されることとして、同一の同期リファレンスを使用するＵＥの間でのディスカバリを可能とするためには、ビヘイビヤ（Behavior）１（リリース１２ディスカバリビヘイビヤ）で十分である。他のケースでは、ＯｏＣ  ＵＥが、異なる同期リファレンスを使用しているかもしれない他のＵＥによる検出に関心を有する場合、ビヘイビヤ２（リリース１３通信ビヘイビヤ）が必要とされる。少なくともＵＥ−ＮＷ中継ディスカバリ、ＴＭＧＩ（Temporary  Mobile  Group  Identity）広告、及びセルＩＤアナウンスメントのために、ＯｏＣ  ＵＥは、他のＩｎＣ  ＵＥとの相互ディスカバリに関心を有するのみである。
【００３０】
図２は、本開示に係る全体的な方法の例示的な実施形態の処理フロー図であり、ＵＥ２１は、同期信号又はブロードキャストチャネルの送信についての自身の時間パターンを適合させる。ステップ２１において、ＵＥは、ネットワークカバレッジ内にいる他の第２のＵＥによってのみ受信されることへの第１のＵＥの関心レベルを判定する。第２のＵＥは、同一の同期リファレンスを使用していても異なる同期リファレンスを使用していてもよい。ステップ２２において、ＵＥは、当該ＵＥの判定された関心レベルに依存して、同期信号又はブロードキャストチャネルの送信についての自身の時間パターンを適応させる。
【００３１】
図３は、ＳＬＳＳ及び／又はＰＳＢＣＨを周期的に送信すべきか否かをＯｏＣ  ＵＥが判定するための方法の例示的な実施形態の処理フロー図である。この判定は、多様な他のＵＥにより受信されることへのＯｏＣ  ＵＥの関心に基づいてなされ得る。ＯｏＣ  ＵＥの関心レベルは、例えば、ＯｏＣ  ＵＥが実行することを望むサービスのタイプを分析すること、及び第２のＵＥがそのタイプのサービスに準拠しているかを判定することにより判定されてもよい。上記ＵＥは、ＯｏＣ  ＵＥが実行することを望むタイプのサービスに第２のＵＥが準拠している場合にのみ、関心を有する。
【００３２】
代替的に、ＯｏＣ  ＵＥの関心レベルは、例えば、第２のＵＥがｅＮｏｄｅＢのカバレッジエリアの内側にいるかを判定することにより判定されてもよい。第２のＵＥがｅＮｏｄｅＢのカバレッジエリアの内側にいる場合、ＯｏＣ  ＵＥは、第２のＵＥがｅＮｏｄｅＢから発した同期リファレンスを中継可能であるかを判定する。第２のＵＥがｅＮｏｄｅＢから発した同期リファレンスを中継可能であるとき、上記ＵＥは、ｅＮｏｄｅＢとの同期を上記ＵＥが望む際に関心を有する。
【００３３】
ステップ３１において、ＯｏＣ  ＵＥは、第２のＵＥをＤ２Ｄ同期のために利用すべきであると判定する。第１の例示的なシナリオでは、上記ＵＥは、異なる同期リファレンスを使用するＯｏＣ  ＵＥによってのみ受信されることへ関心を有すると判定する。このシナリオでは、上記方法はステップ３１からステップ３２へ進み、ＯｏＣ  ＵＥは、Ｄ２Ｄインターバルの時間長にわたって（又は、ＯｏＣ  ＵＥが自身の中継のプリファレンスを変更するまで）ＳＬＳＳ及び／又はＰＳＢＣＨを周期的に送信する。
【００３４】
第２のシナリオにおいて、ＯｏＣ  ＵＥは、当該ＯｏＣ  ＵＥと同じクラスタ内にいるＵＥなど、同一の同期リファレンスを使用するＯｏＣ  ＵＥのみにより受信されることへの関心を有すると判定する。このシナリオでは、上記方法はステップ３１からステップ３３へ進み、ＯｏＣ  ＵＥは、ＳＬＳＳ／ＰＳＢＣＨを周期的に送信しない。ＯｏＣ  ＵＥは、例えば、Ｄ２Ｄリソースプールに近い時点でのみＳＬＳＳ及び／又はＰＳＢＣＨを送信してもよく、又はＳＬＳＳ若しくはＰＳＢＣＨを全く送信しなくてもよい。
【００３５】
第３のシナリオにおいて、ＯｏＣ  ＵＥは、ＩｎＣ  ＵＥのみにより受信されることへの関心を有すると判定する。このシナリオでは、上記方法は代わりにステップ３１からステップ３４へ進み、ＯｏＣ  ＵＥは、第２のＵＥから同期リファレンス信号を受信する。ステップ３５において、ＯｏＣ  ＵＥは、その同期リファレンスがもとはｅＮＢに由来するのかを判定する。これは、到来する同期信号及び制御情報を読み取ることにより（例えば、ＰＳＳ／ＳＳＳ（Primary  Synchronization  Signal/Secondary  Synchronization  Signal）、ＰＢＣＣＨ（Physical  Broadcast  Control  Channel）、ＳＬＳＳ（Sidelink  Synchronization  Reference  Signals）及びＰＳＢＣＨ（Physical  Sidelink  Broadcast  Channel）などを読み取ることにより）行われてよい。同期リファレンスがもとはｅＮＢに由来する場合、上記方法はステップ３５からステップ３３へ進み、ＯｏＣ  ＵＥは、ＳＬＳＳ及び／又はＰＳＢＣＨを周期的に送信しない。ＯｏＣ  ＵＥは、例えば、Ｄ２Ｄリソースプールに近い時点でのみＳＬＳＳ及び／又はＰＳＢＣＨを送信してもよく、又はＳＬＳＳ若しくはＰＳＢＣＨを全く送信しなくてもよい。一方、同期リファレンスがもとはｅＮＢに由来しないとＯｏＣ  ＵＥが判定する場合、上記方法は代わりにステップ３５からステップ３６へ進み、ＯｏＣ  ＵＥは、ＳＬＳＳ及び／又はＰＳＢＣＨを周期的に送信する。
【００３６】
図３において、ステップの順序は同図により示唆されない。例えば、ＵＥは、Ｄ２Ｄ同期用のＵＥを判定する前に、ｅＮＢから同期リファレンス信号を受信してもよい。ＵＥカバレッジ状態などの他の条件が、ＳＬＳＳ／ＰＳＢＣＨ送信ビヘイビヤを判定するためのルールにおいて考慮されてもよい。
【００３７】
ＬＴＥの用語では、これは、ＩｎＣ  ＵＥへ同期しているＯｏＣ  ＵＥが、ＵＥ−ＮＷ中継ディスカバリ、ＴＭＧＩ広告又はセルＩＤアナウンスメントのいずれかへ参加している場合にリリース１２ビヘイビヤ１（単発ＳＬＳＳ／ＰＳＢＣＨ送信）に従うことを意味する。そうでない場合には、ＵＥは、ビヘイビヤ２（周期的なＳＬＳＳ／ＰＳＢＣＨ送信）に従う。ビヘイビヤ２では、ＵＥは、ＵＥがディスカバリを送信する各ディスカバリピリオドにおいて、４０ｍｓ毎にＳＬＳＳを送信する。追加的に、実際のＳＬＳＳ送信は、ワイヤレスアクセスネットワーク（ＷＡＮ）優先制御などの他のリリース１２条件の対象である。ＵＥは、ＳＬＳＳ送信の同じサブフレームにおいてもＰＳＢＣＨを送信する。リリース１３通信ＵＥのためのＰＳＢＣＨと同じ内容が使用される。本開示は、所与のディスカバリピリオドにおいてディスカバリメッセージを送信しない場合にＵＥがＳＬＳＳを送信するか、ＰＳＢＣＨの予約ビットがリリース１３において使用されるかといった課題、及びＵＥが各ビヘイビヤに従うかという課題を解決する。
【００３８】
本開示の方法は、部分的なネットワークカバレッジ内に、又はネットワークカバレッジの外側にいるＵＥにより、さもなければ利用不能であるはずのネットワーク接続を取得する目的で利用され得る。１つの実施形態において、当該方法は、ネットワークカバレッジの外側のＵＥにより、公衆安全（public  safety）ディスカバリのために使用される。
【００３９】
図４は、ＯｏＣ  ＵＥが公衆安全ディスカバリ又は商業的ディスカバリのいずれかに関心を有する場合に、同期信号又はブロードキャストチャネルの送信についての時間パターンをＯｏＣ  ＵＥが選択するための方法の例示的な実施形態の処理フロー図である。ステップ４１において、ＯｏＣ  ＵＥが公衆安全ディスカバリに関心を有するかが判定される。関心を有する場合、上記方法はステップ４２へ進み、ＯｏＣ  ＵＥは、Ｄ２Ｄ同期のためにＩｎＣ  ＵＥを選択する。ステップ４３において、ＯｏＣ  ＵＥは、公衆安全ディスカバリのために適切な同期信号又はブロードキャストチャネルの送信についての時間パターンを選択する。一方、ステップ４１において、ＯｏＣ  ＵＥが公衆安全ディスカバリに関心を有しない（即ち、ＯｏＣ  ＵＥは商業的ディスカバリに関心を有する）と判定されると、上記方法は代わりにステップ４４へ進み、ＯｏＣ  ＵＥは、Ｄ２Ｄ同期のために他のＯｏＣ  ＵＥを選択する。ステップ４５において、ＯｏＣ  ＵＥは、商業的ディスカバリのために適切な同期信号又はブロードキャストチャネルの送信についての時間パターンを選択する。
【００４０】
［システム］
説明した解決策は、任意の適した通信標準をサポートし及び任意の適したコンポーネントを用いる、いかなる適切なタイプの通信システムにおいて実装されてもよく、説明した解決策の具体的な実施形態は、図１に示したような、ＬＴＥネットワークにおいて実装され得る。
【００４１】
図１に示したように、例示的なネットワークは、ワイヤレス通信デバイスの１つ以上のインスタンス（例えば、旧来のユーザ機器（ＵＥ）、Ｄ２Ｄ  ＵＥ、マシンタイプ通信（ＭＴＣ）／マシンツーマシン（Ｍ２Ｍ）ＵＥ）と、これらワイヤレス通信デバイスと通信可能な１つ以上の無線アクセスノード（例えば、ｅＮｏｄｅＢ又は他の基地局）と共に、ワイヤレス通信デバイス間の若しくはワイヤレス通信デバイスと他の通信デバイス（地上線電話機など）との間の通信をサポートするのに適した任意の追加的な要素を含み得る。図示したワイヤレス通信デバイスは、ハードウェアとソフトウェアとのいかなる適した組み合わせをも含む通信デバイスを表し得るものの、それらワイヤレス通信デバイスは、具体的な実施形態では、一層詳しく図５により示した例示的なワイヤレス通信デバイスのようなデバイスを表し得る。同様に、図示した無線アクセスノードは、ハードウェアとソフトウェアとのいかなる適した組み合わせをも含むネットワークノードを表し得るものの、それらノードは、具体的な実施形態では、一層詳しく図６により示した例示的な無線アクセスノードのようなデバイスを表し得る。
【００４２】
［ワイヤレス通信デバイス］
図５に示したように、例としてのワイヤレス通信デバイス（ＵＥ５１）は、メモリ５３へ連結されるプロセッサ５２を含む。プロセッサがメモリ内に記憶されるコンピュータプログラム命令を実行すると、当該プロセッサは、関心判定回路５４及び送信時間パターン適応回路５５を制御する、ようになされる。プロセッサは、送受信機５６をも制御し、送受信機５６は、アンテナ５７を通じて無線周波数（ＲＦ）信号を送信し及び受信する。具体的な実施形態において、ＵＥ、ＭＴＣ若しくはＭ２Ｍデバイス及び／又は任意の他のタイプのワイヤレス通信デバイスにより提供されるものとして上で説明した機能性のいくつか又は全ては、デバイスのプロセッサが図５に示したメモリなどのコンピュータ読取可能な媒体上に記憶されている命令を実行することにより提供されてよい。
【００４３】
ワイヤレス通信デバイスの代替的な実施形態は、上で説明した機能性のうちのいずれか及び／又は上で説明した解決策をサポートするために必要な任意の機能性を含む、デバイスの機能性のある観点を提供することに責任を有し得る、図５に示したもの以外の追加的なコンポーネントを含んでもよい。
【００４４】
［無線アクセスノード］
図６に示したように、例としての無線アクセスノード（ｅＮＢ６１）は、メモリ６３へ連結されるｅＮＢプロセッサ６２を含む。プロセッサがメモリ内に記憶されるコンピュータプログラム命令を実行すると、当該プロセッサは、アンテナ６５を通じてＲＦ信号を送信し及び受信する送受信機６４を制御する、ようになされる。プロセッサは、ワイヤレス無線アクセスネットワーク内の他のノードとの通信及び／又はコアネットワーク内のノードとの通信のためのネットワークインタフェース６６をも制御する。具体的な実施形態において、基地局、ノードＢ、拡張ノードＢ及び／又は任意の他のタイプのネットワークノードにより提供されるものとして上で説明した機能性のいくつか又は全ては、プロセッサが図６に示したメモリなどのコンピュータ読取可能な媒体上に記憶されている命令を実行することにより提供されてよい。
【００４５】
無線アクセスノードの代替的な実施形態は、上で識別した機能性のうちのいずれか及び／又は上で説明した解決策をサポートするために必要な任意の機能性を含む、追加的な機能性を提供することに責任を有し得る追加的なコンポーネントを含んでもよい。
【００４６】
本開示の実施形態は、コンピュータ読取可能な記憶媒体上に記憶されるコンピュータプログラムプロダクトにより実装されてもよい。コンピュータプログラムプロダクトは、少なくとも１つのプロセッサ上で実行された場合に、当該少なくとも１つのプロセッサに、図２〜図４に示し付随する文章で説明した処理を遂行させる命令群を含み得る。
【００４７】
実施形態は、ハードウェアモジュールにより、又はハードウェアモジュールとソフトウェアモジュールとの組み合わせにより実装されてもよい。例えば、ＵＥは、図２〜図４に示し付随する文章で説明した処理のうちの１つ以上を遂行するためのハードウェア及びソフトウェアモジュールを含んでもよい。ｅＮＢが同様のモジュールを有してもよい。
【００４８】
留意すべきこととして、上で言及した実施形態は、本発明を限定するよりもむしろ例示しており、当業者は、添付の特許請求の範囲のスコープから逸脱することなく、多くの代替的な実施形態を設計することができるであろう。特許請求の範囲におけるいかなる参照符号も、そのスコープを限定するものとして解釈されないものとする。
【図１】
0006513222.tif 000002
【図２】
0006513222.tif 000003
【図３】
0006513222.tif 000004
【図４】
0006513222.tif 000005
【図５】
0006513222.tif 000006
【図６】
0006513222.tif 000007